(57)【要約】【課題】点火電源コイルが点火時期に短絡されて焼損するのを防ぐことができる内燃機関用多極磁石発電機を提供する。【解決手段】フライホイール４に磁石Ｍ１ないしＭ１６を取り付けて構成した磁石回転子１と、電機子鉄心６の歯部に点火電源コイルＷ１及び電機子コイルＷ２ないしＷ２４を巻回して構成した固定子２と、フライホイールの外周に設けたリラクタ４ｄのエッジを検出してコンデンサ放電式内燃機関用点火装置の点火用コンデンサを放電させるサイリスタをトリガするパルス信号を出力するパルサ３とを備える。パルサ３がサイリスタをトリガするパルス信号を出力するときに、点火電源コイルＷ１が巻かれた歯部Ｔ１の磁極部の中心が磁石回転子の磁気的中立位置に対向するように磁石回転子の磁石とリラクタとの位置関係を設定する。【選択図】    図１
2004236382.tif 000002
【特許請求の範囲】
【請求項１】
内燃機関のクランク軸にキーにより位置決めされて取り付けられるカップ状の鉄製フライホイールと該フライホイールの周壁部の内周に取り付けられた多数の永久磁石とを有する多極の磁石回転子と、放射状に配置された多数の歯部を有する多極の電機子鉄心と内燃機関用点火装置に電源電圧を与えるために該電機子鉄心の１つの歯部に巻回された点火電源コイル及び前記点火装置以外の負荷に電力を供給するために他の歯部に巻回された電機子コイルとを有して各歯部の先端の磁極部が前記磁石回転子の磁極に対向させられる固定子と、前記フライホイールの周壁部の外周に設けられた円弧状のリラクタと、前記リラクタの回転方向の前端側エッジを検出したとき及び後端側エッジを検出したときに極性が異なる１対のパルス信号を発生するパルサとを備えていて、前記点火電源コイルが出力する正の半サイクルの電圧が、点火用コンデンサと該点火用コンデンサの電荷を点火コイルの一次コイルを通して放電させるサイリスタとを有するコンデンサ放電式内燃機関用点火装置の前記点火用コンデンサを充電するための電圧として用いられ、前記パルサが発生する一方の極性のパルス信号が前記コンデンサ放電式内燃機関用点火装置のサイリスタをトリガするための信号として用いられる内燃機関用多極磁石発電機において、
前記パルサが前記一方の極性のパルス信号を発生するときに前記電機子鉄心の点火電源コイルが巻かれた歯部の先端の磁極部の中心部が、前記磁石回転子の隣り合う２つの特定の磁極間の磁気的中立位置を含む一定の角度範囲の領域に対向した状態にあるように前記リラクタの位置に対する前記永久磁石の位置が設定されるとともに、前記内燃機関の正回転時に前記パルサが前記一方の極性のパルスを発生するときに前記点火電源コイルが負の半サイクルの電圧を発生するように前記点火電源コイルの巻方向が設定され、
前記電機子コイルに負荷電流が流れたときに生じる電機子反作用により前記点火電源コイルの出力電圧の位相が変動したときでも前記パルサが前記一方の極性のパルスを発生したときに前記点火電源コイルが負の半サイクルの電圧を出力しているように前記磁石回転子の磁極間隔及び前記角度範囲が設定されていること、
を特徴とする内燃機関用多極磁石発電機。
【請求項２】
内燃機関のクランク軸にキーにより位置決めされて取り付けられるカップ状の鉄製フライホイールと該フライホイールの周壁部の内周に取り付けられた多数の永久磁石とを有する多極の磁石回転子と、放射状に配置された多数の歯部を有する多極の電機子鉄心と内燃機関用点火装置に電源電圧を与えるために該電機子鉄心の１つの歯部に巻回された点火電源コイル及び前記点火装置以外の負荷に電力を供給するために他の歯部に巻回された電機子コイルとを有して各歯部の先端の磁極部が前記磁石回転子の磁極に対向させられる固定子と、前記フライホイールの周壁部の外周に設けられた円弧状のリラクタと、前記リラクタの回転方向の前端側エッジを検出したとき及び後端側エッジを検出したときに極性が異なる１対のパルス信号を発生するパルサとを備えた磁石発電機と、点火コイルと、前記点火コイルの一次側に設けられて前記点火電源コイルの正の半サイクルの出力電圧を昇圧する昇圧回路と、該昇圧回路の出力により一方の極性に充電される点火用コンデンサと、トリガ信号が与えられたときに導通して前記点火用コンデンサの電荷を前記点火コイルの一次コイルを通して放電させるように設けられた放電用サイリスタと、前記フライホイールの周壁部の外周に設けられた円弧状のリラクタと、前記リラクタの回転方向の前端側エッジを検出したとき及び後端側エッジを検出したときに極性が異なる１対のパルス信号を発生するパルサと、前記パルサが一方の極性のパルス信号を発生したときに前記放電用サイリスタにトリガ信号を与えるトリガ信号供給回路とを備えたコンデンサ放電式内燃機関用点火装置において、
前記パルサが前記一方の極性のパルス信号を発生するときに前記電機子鉄心の点火電源コイルが巻かれた歯部の先端の磁極部の中心部が、前記磁石回転子の隣り合う２つの特定の磁極間の磁気的中立位置を含む一定の角度範囲の領域に対向した状態にあるように前記リラクタの位置に対する前記永久磁石の位置が設定されるとともに、前記内燃機関の正回転時に前記パルサが前記一方の極性のパルスを発生するときに前記点火電源コイルが負の半サイクルの電圧を発生するように前記点火電源コイルの巻方向が設定され、
前記電機子鉄心の前記点火電源コイルが巻かれた歯部に隣接する他の歯部に巻かれた電機子コイルに負荷電流が流れたときに生じる電機子反作用により前記点火電源コイルの出力電圧の位相が変動したときでも前記パルサが前記一方の極性のパルスを発生したときに前記点火電源コイルが負の半サイクルの電圧を出力しているように前記磁石回転子の磁極間隔及び前記角度範囲が設定されていること、
を特徴とするコンデンサ放電式内燃機関用点火装置。
【発明の詳細な説明】
【０００１】
【発明の属する技術分野】
本発明は、内燃機関に取り付ける多極の磁石発電機及びこの磁石発電機を用いたコンデンサ放電式内燃機関用点火装置に関するものである。
【０００２】
【従来の技術】
周知のように、コンデンサ放電式の内燃機関用点火装置は、点火コイルと、点火コイルの一次側に設けられて点火電源コイルの出力により一方の極性に充電される点火用コンデンサと、トリガされた際に点火用コンデンサの電荷を点火コイルの一次コイルを通して放電させるように設けられたサイリスタと、機関の点火時期にサイリスタにトリガ信号を与えるトリガ信号供給回路とを備えていて、点火用コンデンサの電荷をサイリスタと点火コイルの一次コイルとを通して放電させることにより、点火コイルの二次コイルに点火用の高電圧を誘起させて点火動作を行わせるようになっている。点火電源コイルとしては、内燃機関により駆動される磁石発電機に設けられた発電コイルが多く用いられる。
【０００３】
サイリスタにトリガ信号を与えるトリガ信号供給回路は、機関の用途に応じて適宜の構成をとる。点火時期を各種の制御条件に対して制御する必要がある内燃機関においては、トリガ信号供給回路にマイクロコンピュータが設けられて、該マイクロコンピュータにより各種の制御条件に対して点火時期が演算され、演算された点火時期が検出されたときにサイリスタにトリガ信号が供給される。
【０００４】
これに対し、点火時期を特に制御することを要しない簡易な内燃機関においては、内燃機関の点火時期に相当するクランク角位置でパルス信号を発生するパルサを設けて、該パルサがパルス信号を発生したときにサイリスタにトリガ信号を与えるようにトリガ信号供給回路が構成される。
【０００５】
近年、内燃機関により駆動される磁石発電機に接続される負荷が増加する傾向にあるため、磁石発電機としては、例えば特許文献１に示されているように、多極の磁石回転子と、多極の電機子鉄心とを備えたものが多く用いられるようになっている。
【０００６】
コンデンサ放電式の点火装置においては、点火用コンデンサを二百数十ボルトまで充電する必要があるため、磁石発電機に設ける点火電源コイルとしては、細い導体を用いて多くの巻数を有するように巻かれたものが用いられていたが、最近では、太い導体を用いて比較的少ない巻数だけ巻かれた発電コイルを点火電源コイルとして用いて、該点火電源コイルの誘起電圧を昇圧回路（チョッパ回路）を用いて昇圧することにより点火用コンデンサを充電する電圧を得ることも行われている。点火電源コイルとして巻数が少ないものを用いると、該点火電源コイルが磁石発電機内で占めるスペースが小さくなり、他の負荷を駆動するために用いる電機子コイルを配置するためのスペースが犠牲になることがないため、点火装置以外に供給する電力を増やすことができる。
【０００７】
磁石発電機内に設けた点火電源コイルの出力で点火用コンデンサを充電するようにしたコンデンサ放電式の点火装置においては、点火電源コイルが出力する正の半サイクルの電圧で点火用コンデンサを充電し、サイリスタにトリガ信号が与えられたときに該サイリスタを導通させて点火用コンデンサを放電させるようにしているが、点火電源コイルが正の半サイクルの電圧を発生しているときにサイリスタをトリガすると、点火電源コイルがサイリスタを通して短絡される。
【０００８】
細い導体を用いて巻かれた多くの巻数を有するコイルを点火電源コイルとして用いる場合には、点火電源コイルのインピーダンスが高く、該コイルを短絡した際に流れる電流が小さいため、点火電源コイルが正の半サイクルの電圧を出力する期間にサイリスタをトリガしても問題は生じない。
【０００９】
これに対し、巻数が少ない発電コイルを点火電源コイルとして用いる場合には、点火電源コイルのインピーダンスが小さいため、点火電源コイルが正の半サイクルの電圧を出力している期間にサイリスタがトリガされると、大きな短絡電流が流れて、点火電源コイルで大きな発熱が生じ、コイルが焼損するおそれがある。点火電源コイルの焼損を防ぐためには、サイリスタをトリガするタイミング（点火時期）を点火電源コイルが負の半サイクルの電圧を出力する期間に設定する必要がある。
【００１０】
ところが、多極の磁石発電機に点火装置以外の他の負荷を駆動する電機子コイルとともに点火電源コイルを設けた場合には、点火電源コイル以外のコイルに負荷電流が流れたときに生じる電機子反作用により点火電源コイルの出力電圧の位相が変動するため、点火時期を点火電源コイルの出力の負の半サイクルの期間に設定するように発電機を構成した場合でも、点火時期が点火電源コイルの出力の正の半サイクルの期間に入ることがあり、点火電源コイルがサイリスタにより短絡されることがある。
【００１１】
磁石発電機の電機子反作用が点火電源コイルの出力に影響を与えるのを防ぐため、特許文献１に示された磁石発電機では、多極の電機子鉄心の、点火電源コイルを巻く歯部の両側の歯部に電機子コイルを巻回しないようにしている。
【００１２】
【特許文献１】
実公昭５６−１５９１１号公報
【００１３】
【発明が解決しようとする課題】
特許文献１に示されたように、点火電源コイルを巻く歯部の両側の歯部に電機子コイルを巻回しないようにした場合には、点火装置以外の負荷を駆動するために用いる電機子コイルの数が減少するため、点火装置以外の負荷に供給する電力の増大を図ることが要請された場合に、その要請に十分に応えられないという問題があった。
【００１４】
本発明の目的は、点火電源コイルをコンデンサ放電式内燃機関用点火装置の点火コンデンサ充電用の電源コイルとして用いた場合に、点火装置以外の負荷に供給する電力を犠牲にすることなく、点火電源コイルが点火時期に短絡されるおそれをなくすことができるようにした内燃機関用多極磁石発電機を提供することにある。
【００１５】
本発明の他の目的は、点火電源コイルが点火時期に短絡されて焼損するおそれをなくしたコンデンサ放電式内燃機関用多極点火装置を提供することにある。
【００１６】
【課題を解決するための手段】
本発明は、内燃機関のクランク軸にキーにより位置決めされて取り付けられるカップ状の鉄製フライホイールと該フライホイールの周壁部の内周に取り付けられた多数の永久磁石とを有する多極の磁石回転子と、放射状に配置された多数の歯部を有する多極の電機子鉄心と内燃機関用点火装置に電源電圧を与えるために該電機子鉄心の１つの歯部に巻回された点火電源コイル及び点火装置以外の負荷に電力を供給するために他の歯部に巻回された電機子コイルとを有して各歯部の先端の磁極部が磁石回転子の磁極に対向させられる固定子と、フライホイールの周壁部の外周に設けられた円弧状のリラクタと、リラクタの回転方向の前端側エッジを検出したとき及び後端側エッジを検出したときに極性が異なる１対のパルス信号を発生するパルサとを備えた内燃機関用多極磁石発電機を対象とする。
【００１７】
本発明が対象とする磁石発電機においては、点火電源コイルが出力する正の半サイクルの電圧が、点火用コンデンサとトリガされたときに導通して該点火用コンデンサの電荷を点火コイルの一次コイルを通して放電させるサイリスタとを有するコンデンサ放電式内燃機関用点火装置の点火用コンデンサを充電するための電圧として用いられ、パルサが発生する一方の極性のパルス信号がコンデンサ放電式内燃機関用点火装置のサイリスタをトリガするための信号として用いられる。
【００１８】
本発明においては、パルサが一方の極性のパルス信号を発生するときに電機子鉄心の点火電源コイルが巻かれた歯部の先端の磁極部の中心部が、磁石回転子の隣り合う２つの特定の磁極間の磁気的中立位置を含む一定の角度範囲の領域に対向した状態にあるように、リラクタの位置に対する永久磁石の位置が設定される（リラクタと永久磁石との位置関係が設定される）とともに、内燃機関の正回転時にパルサが一方の極性のパルスを発生するときに点火電源コイルが負の半サイクルの電圧を発生するように点火電源コイルの巻方向が設定される。また電機子コイルに負荷電流が流れたときに生じる電機子反作用により点火電源コイルの出力電圧の位相が変動したときでもパルサが一方の極性のパルスを発生したときに点火電源コイルが負の半サイクルの電圧を出力しているように、磁石回転子の磁極間隔及び角度範囲が設定される。
【００１９】
上記のように磁石発電機を構成すると、点火装置以外の負荷を駆動する電機子コイルに流れる電流により生じる電機子反作用により点火電源コイルの出力電圧の位相が変動したときに、点火電源コイルの出力電圧の正の半サイクルの期間にパルサが一方の極性のパルスを発生してサイリスタがトリガされる状態が生じるのを防ぐことができるため、点火電源コイルとして、巻数が少ないものを用いる場合に、該点火電源コイルがサイリスタにより短絡されて焼損するおそれをなくすことができる。
【００２０】
上記の構成では、パルサが一方の極性のパルス信号を発生するときに電機子鉄心の点火電源コイルが巻かれた歯部の先端の磁極部の中心部が、磁石回転子の隣り合う２つの特定の磁極間の磁気的中立位置を含む一定の角度範囲の領域に対向した状態にあるように、前記リラクタの位置に対する前記永久磁石の位置が設定されるとしたが、点火電源コイルが正の半サイクルの電圧を出力している期間にサイリスタがトリガされるのを確実に防ぐためには、パルサが一方の極性のパルス信号を発生するときに電機子鉄心の点火電源コイルが巻かれた歯部の先端の磁極部の中心が、磁石回転子の隣り合う２つの特定の磁極間の磁気的中立位置に対向した状態になるようにリラクタの位置に対する永久磁石の位置を設定するのが好ましい。
【００２１】
本発明はまた、内燃機関のクランク軸にキーにより位置決めされて取り付けられるカップ状の鉄製フライホイールと該フライホイールの周壁部の内周に取り付けられた多数の永久磁石とを有する多極の磁石回転子と、放射状に配置された多数の歯部を有する多極の電機子鉄心と内燃機関用点火装置に電源電圧を与えるために該電機子鉄心の１つの歯部に巻回された点火電源コイル及び点火装置以外の負荷に電力を供給するために他の歯部に巻回された電機子コイルとを有して各歯部の先端の磁極部が磁石回転子の磁極に対向させられる固定子と、フライホイールの周壁部の外周に設けられた円弧状のリラクタと、リラクタの回転方向の前端側エッジを検出したとき及び後端側エッジを検出したときに極性が異なる１対のパルス信号を発生するパルサとを備えた磁石発電機と、点火コイルと、該点火コイルの一次側に設けられて点火電源コイルの正の半サイクルの出力電圧を昇圧する昇圧回路と、該昇圧回路の出力により一方の極性に充電される点火用コンデンサと、トリガ信号が与えられたときに導通して点火用コンデンサの電荷を点火コイルの一次コイルを通して放電させるように設けられた放電用サイリスタと、フライホイールの周壁部の外周に設けられた円弧状のリラクタと、リラクタの回転方向の前端側エッジを検出したとき及び後端側エッジを検出したときに極性が異なる１対のパルス信号を発生するパルサと、パルサが一方の極性のパルス信号を発生したときに放電用サイリスタにトリガ信号を与えるトリガ信号供給回路とを備えたコンデンサ放電式内燃機関用点火装置に適用される。
【００２２】
本発明に係わる点火装置においては、パルサが一方の極性のパルス信号を発生するときに電機子鉄心の点火電源コイルが巻かれた歯部の先端の磁極部の中心部が、磁石回転子の隣り合う２つの特定の磁極間の磁気的中立位置を含む一定の角度範囲の領域に対向した状態にあるように前記リラクタの位置に対する前記永久磁石の位置が設定されるとともに、内燃機関の正回転時にパルサが一方の極性のパルスを発生するときに点火電源コイルが負の半サイクルの電圧を発生するように点火電源コイルの巻方向が設定される。また電機子鉄心の点火電源コイルが巻かれた歯部に隣接する他の歯部に巻かれた電機子コイルに負荷電流が流れたときに生じる電機子反作用により点火電源コイルの出力電圧の位相が変動したときでもパルサが一方の極性のパルスを発生したときに点火電源コイルが負の半サイクルの電圧を出力しているように磁石回転子の磁極間隔及び前記角度範囲が設定される。
【００２３】
【発明の実施の形態】
以下図面を参照して本発明の実施の形態を説明する。図１及び図２は、本発明に係わる磁石発電機の構成例を示したもので、図１はフライホイールの開口部側（背面側）から見た同磁石発電機の背面図、図２は図１のＩＩ−ＩＩ線断面図である。これらの図において、１は多極の磁石回転子、２は多極の固定子、３はパルサであり、これらにより磁石発電機が構成されている。
【００２４】
更に詳細に説明すると、磁石回転子１は、周壁部４ａと底壁部４ｂとを有するカップ状に形成された鉄製のフライホイール４と、フライホイール４の周壁部４ａの内周に等角度間隔で配置されて、接着などにより該フライホイールに固定された１６個の永久磁石Ｍ１ないしＭ１６とを備えている。永久磁石Ｍ１ないしＭ１６は、フライホイールの周方向にＮ極とＳ極とが交互に並ぶように交互に着磁方向を異ならせて径方向着磁され、これらの永久磁石により１６極の磁石界磁が構成されている。フライホイール４の底壁部の中央部にはボス部材５がリベット止めされ、このボス部材５の軸心部に設けられたテーパ孔５ａに図示しない内燃機関のクランク軸の先端に設けられたテーパ部が嵌合される。そして、クランク軸の先端の軸心部に設けられたネジ孔に図示しないボルトが螺合されるか、またはクランク軸の先端部の外周に形成されたネジ部にナットが螺合され、これらボルトまたはナットが締め付けられることにより、フライホイール４がクランク軸に締結される。磁石回転子１を位置決めするため、ボス部材５のテーパ孔の一部にキー溝５ｂが設けられ、このキー溝５ｂと図示しない機関のクランク軸のテーパ部に設けられたキー溝とにキーを挿入することにより、磁石回転子１をクランク軸に対して位置決めするようになっている。
【００２５】
なお図２において、５ｃは、フライホイールをクランク軸に締結するために用いるボルトの頭部またはナットを収容するためにボス部の端部の内側に形成された凹部である。また４ｃは、フライホイールの内側に冷却風を導入するためにフライホイールの底壁部を貫通させて設けられた多数の通風孔である。
【００２６】
固定子２は、珪素鋼板の積層体からなっていて、環状の継鉄部Ｙの外周部から多数の歯部Ｔ１ないしＴ２４を放射状に突出させた構造を有する電機子鉄心６と、電機子鉄心６の歯部Ｔ１に巻回された点火電源コイルＷ１、及び他の歯部Ｔ２ないしＴ２４にそれぞれ巻回された電機子コイルＷ２ないしＷ２４とを有し、歯部Ｔ１ないしＴ２４のそれぞれの先端に形成された磁極部が磁石回転子１の磁極に所定のギャップを介して対向させられる。電機子鉄心６は、磁石回転子１の内側に該磁石回転子と軸線を共有した状態で配置されて、機関のケースに設けられた固定子取付部に固定される。
【００２７】
またフライホイールの周壁部４ａの一部を径方向の外側に打ち出すことにより、フライホイールの周方向に延びる円弧状の突起からなるリラクタ４ｄが該周壁部の外周に形成され、リラクタ４ｄの回転方向の前端側エッジを検出したとき及び後端側エッジを検出したときに極性が異なる１対のパルス信号を発生するパルサ３が、フライホイールの周壁部４ａの外側に配置されている。パルサ３は、リラクタ４ｄに対向する磁極部を先端に有する鉄心と、該鉄心に巻回された信号コイルと、該鉄心に磁気結合された永久磁石とを備えた周知のもので、リラクタ４ｄの回転方向の前端側エッジがパルサの鉄心の磁極部との対向を開始する際、及びリラクタ４ｄの回転方向の後端側エッジがパルサの鉄心の磁極部との対向を終了する際にそれぞれ鉄心中で生じる磁束の変化により、信号コイルに極性が異なるパルス信号を誘起させる。パルサ３は、機関のケースやカバーなどに設けられた取付部に固定される。
【００２８】
図１及び図２に示した磁石発電機により駆動される点火装置の構成例、及び磁石発電機から点火装置以外の負荷に電力を供給する回路の構成例を図３に示した。図３において、１０は点火コイル、１１はコンデンサ放電式の点火ユニット、１２は図示しない内燃機関の気筒に設けられた点火プラグである。この例では、点火コイル１０の一次コイル１０ａ及び二次コイル１０ｂの一端が接地され、一次コイル１０ａの他端に点火用コンデンサＣｉの一端が接続されている。点火用コンデンサＣｉの他端はカソードを該コンデンサＣｉ側に向けた充電用ダイオードＤ１とイグニッションスイッチＳＷとを通して点火電源コイルＷ１の一端に接続され、点火電源コイルＷ１の他端は接地されている。また点火用コンデンサＣｉとダイオードＤ１との接続点と接地間に、サイリスタＴｈがそのカソードを接地側に向けた状態で接続され、サイリスタＴｈの両端にダイオードＤ２が逆並列接続されている。点火電源コイルＷ１の両端には昇圧回路（チョッパ回路）１３が接続され、この昇圧回路により点火電源コイルＷ１の出力を断続させることにより、該点火電源コイルＷ１の出力電圧を昇圧するようになっている。
【００２９】
Ｗｓはパルサ３に設けられた信号コイルで、この信号コイルの出力は波形整形回路１４を通してサイリスタＴｈのゲートに与えられている。
【００３０】
また図３に示した例では、歯部Ｔ２に巻回された電機子コイルＷ２がバッテリ充電用コイルとして用いられ、電機子コイルＷ２の出力が電圧調整機能を有する整流回路１５を通して図示しないバッテリに印加されている。更に、歯部Ｔ４ないしＴ２４にそれぞれ巻回された電機子コイルＷ４ないしＷ２４が３相結線されて、３相の発電コイルＷｕ，Ｗｖ及びＷｗが構成され、これらの発電コイルがスター結線されている。発電コイルＷｕないしＷｗの出力はインバータユニット１６を通して図示しない負荷に供給されている。また歯部Ｔ３に巻回された電機子コイルＷ３がインバータユニット１６の制御部に電源電圧を与えるために用いられている。インバータユニット１６は、発電コイルＷｕないしＷｗから与えられる３相交流出力を整流する整流回路と、該整流回路から得られる直流電圧を交流電圧に変換するインバータ回路と、インバータ回路から所定の波形の交流電圧を出力させるようにインバータ回路を構成するスイッチ素子を制御する制御部とを備えたもので、内燃機関の回転速度の変動に伴って周波数が変化する発電コイルＷｕないしＷｗの交流出力を一定の周波数の交流出力に変換する。
【００３１】
図１及び図２に示した発電機においては、点火電源コイルＷ１に鎖交する磁束φがクランク角θに対して図４（Ａ）に示すように変化し、この磁束の変化により、点火電源コイルＷ１に図４（Ｂ）に示すような交流電圧Ｖｅが誘起する。
【００３２】
またパルサ３は、リラクタ４ｄの前端側エッジ及び後端側エッジをそれぞれ検出したときに、信号コイルＷｓから図４（Ｄ）に示すような極性が異なるパルス信号Ｖｐ１及びＶｐ２を発生する。図示の例では、内燃機関の点火時期にパルサがリラクタの後端側エッジを検出して正極性のパルス信号Ｖｐ２を発生するようにリラクタ４ｄを設ける位置とパルサの取付位置とが設定され、パルス信号Ｖｐ２が発生したときに波形整形回路１４を通してサイリスタＴｈにトリガ信号が与えられるようになっている。
【００３３】
図３に示した点火装置において、点火電源コイルＷ１が正の半サイクルの電圧Ｖｅを出力すると、昇圧回路により昇圧された点火電源コイルＷ１の出力で、ダイオードＤ１と点火コイルの一次コイル１０ａとを通して点火用コンデンサＣｉが図示の極性に充電される。これによりコンデンサＣｉの両端の電圧Ｖｃが図４（Ｃ）に示すように上昇していく。機関の点火時期にパルサ３が正極性のパルス信号Ｖｐ２を発生すると、サイリスタＴｈにトリガ信号が与えられるため、サイリスタＴｈが導通し、点火用コンデンサＣｉの電荷がサイリスタＴｈと点火コイルの一次コイル１０ａとを通して放電する。これにより点火コイルの二次コイル１０ｂに点火用高電圧が発生し、この高電圧が点火プラグ１２に印加されるため、該点火プラグで火花放電が生じて機関が点火される。
【００３４】
上記の発電機において、点火電源コイルＷ１以外の電機子コイルに流れる負荷電流により生じる電機子反作用により、点火電源コイルＷ１に誘起する負の半サイクルの電圧の立上りが遅れると、点火電源コイルＷ１が正の半サイクルの電圧を発生している間にパルス信号Ｖｐ２が発生してサイリスタＴｈがトリガされるため、点火電源コイルＷ１がダイオードＤ１とサイリスタＴｈとを通して短絡され、点火電源コイルＷ１に短絡電流が流れる。
【００３５】
図示のように、点火電源コイルＷ１の出力を昇圧回路１３により昇圧して得た電圧で点火用コンデンサＣｉを充電する構成をとる場合には、点火電源コイルＷ１として導体径が大きく、巻数が少ないものが用いられるため、点火電源コイルＷ１の正の半サイクルの電圧が短絡されると、点火電源コイルを通して大きな短絡電流が流れ、点火電源コイルが焼損するおそれがある。またダイオードＤ１及びサイリスタＴｈがこの短絡電流に耐えるためには、これらの素子として電流容量が大きい高価なものを用いる必要があり、好ましくない。
【００３６】
上記のように点火電源コイルが短絡される状態が生じるのを防ぐため、本発明においては、パルサ３がサイリスタをトリガする一方の極性のパルス信号Ｖｐ２を発生するときに、図５に示したように、電機子鉄心６の点火電源コイルＷ１が巻かれた歯部Ｔ１の先端の磁極部の中心部Ｏが、磁石回転子１の隣り合う２つの特定の磁極（図示の例では磁石Ｍ２及びＭ３の磁極）間の磁気的中立位置を含む一定の角度範囲αの領域に対向した状態にあるように磁石回転子１の各永久磁石のリラクタに対する位置が設定されるとともに、内燃機関の正回転時にパルサ３がサイリスタをトリガするパルスＶｐ２を発生するときに点火電源コイルＷ１が負の半サイクルの電圧を発生するように点火電源コイルＷ１の巻方向が設定される。
【００３７】
ここで、機関を正面から見て磁石回転子１が右回転（図１のように同磁石回転子をフライホイール４の開口部側から見た場合には左回転）するものとし、パルサ３がリラクタの後端側エッジを検出するときに歯部Ｔ１よりも遅れ側にある磁石回転子の磁石Ｍ２の磁極がＳ極であるときには、歯部Ｔ１に巻回する点火電源コイルＷ１を磁石回転子側から見て右巻とする。図５においてａ及びｂはそれぞれ点火電源コイルの巻始め及び巻終わりを示している。
【００３８】
本発明においてはまた、電機子コイルＷ２ないしＷ２４に負荷電流が流れたときに生じる電機子反作用により点火電源コイルＷ１の出力電圧の位相が変動したときでもパルサ３がサイリスタをトリガするパルスＶｐ２を発生したときに点火電源コイルＷ１が負の半サイクルの電圧を出力しているように、磁石回転子１の磁極間隔及び角度範囲αが設定される。
【００３９】
上記のように磁石発電機を構成すると、点火電源コイル以外の電機子コイルを流れる負荷電流により生じる電機子反作用により点火電源コイルの出力電圧の位相が変動した場合でも、点火電源コイルが負の半サイクルの電圧を出力している期間にサイリスタをトリガすることができるため、点火電源コイルがサイリスタＴｈを通して短絡される状態が生じるのを防ぐことができる。
【００４０】
上記の例では、パルサ３がリラクタ４ｄの回転方向の後端側エッジを検出したときに発生するパルスＶｐ２でサイリスタＴｈをトリガするようにしているが、パルサ３がリラクタ４ｄの回転方向の前端側エッジを検出したときに発生するパルスＶｐ１でサイリスタをトリガするようにしてもよい。
【００４１】
上記の例では、パルサ３が出力する正極性のパルス信号によりサイリスタＴｈをトリガするようにしているが、波形整形回路１４で信号の極性を反転するようにしておくことにより、パルサが出力する負極性のパルス信号によりサイリスタＴｈをトリガすることもできる。即ち、サイリスタＴｈをトリガするために用いる「一方の極性のパルス信号」は、正極性のパルス信号でもよく、負極性のパルス信号でもよい。
【００４２】
上記の例では、パルサ３が一方の極性のパルス信号を発生するときに電機子鉄心６の点火電源コイルが巻かれた歯部Ｔ１の先端の磁極部の中心部が、磁石回転子１の隣り合う２つの特定の磁石Ｍ２，Ｍ３の磁極間の磁気的中立位置を含む一定の角度範囲αの領域に対向した状態にあるように、前記リラクタの位置に対する前記永久磁石の位置が設定されるとしたが、点火電源コイルＷ１が正の半サイクルの電圧を出力している期間にサイリスタＴｈがトリガされるのを確実に防ぐためには、パルサ３が一方の極性のパルス信号を発生するときに電機子鉄心の点火電源コイルが巻かれた歯部の先端の磁極部の中心が、磁石回転子の隣り合う２つの特定の磁石Ｍ２，Ｍ３の磁極間の磁気的中立位置に正確に対向した状態になるように磁石回転子の各磁石のリラクタに対する位置を設定するのが好ましい。
【００４３】
上記の実施形態では、磁石回転子が１６極に構成され、固定子が２４極に構成されているが、磁石回転子及び固定子の極数は上記の例に限定されない。
【００４４】
【発明の効果】
以上のように、本発明によれば、点火装置以外の負荷を駆動する電機子コイルに流れる電流により生じる電機子反作用により点火電源コイルの出力電圧の位相が変動したときに、点火用コンデンサを放電させるサイリスタが点火電源コイルの出力電圧の正の半サイクルの期間にトリガされる状態が生じるのを防ぐことができるため、点火電源コイルに大きな短絡電流が流れて該点火電源コイルが焼損するおそれをなくすことができる。
【図面の簡単な説明】
【図１】本発明に係わる磁石発電機の一実施形態を示す背面図である。
【図２】図１のＩＩ−ＩＩ線断面図である。
【図３】図１に示した発電機を用いて駆動するコンデンサ放電式点火装置の回路構成例と、発電機の出力を点火装置以外の負荷に供給する回路の構成例とを示した回路図である。
【図４】図１に示した磁石発電機の点火電源コイルに鎖交する磁束の波形と点火電源コイルに誘起する電圧の波形と、点火装置の点火用コンデンサの両端の電圧波形と、パルサが発生するパルス信号の波形とを機関のクランク角に対して示した波形図である。
【図５】図１に示した磁石発電機の点火電源コイルが巻かれた歯部と磁石回転子の磁石との位置関係を示した説明図である。
【符号の説明】
１…磁石回転子、２…固定子、３…パルサ、４…フライホイール、４ａ…周壁部、５…ボス部材、６…電機子鉄心、Ｔ１ないしＴ２４…歯部、Ｗ１…点火電源コイル、Ｗ２ないしＷ２４…電機子コイル、Ｍ１ないしＭ１６…磁石回転子の磁石。
【図１】
2004236382.tif 000003
【図２】
2004236382.tif 000004
【図３】
2004236382.tif 000005
【図４】
2004236382.tif 000006
【図５】
2004236382.tif 000007